(57)【要約】  本発明は携帯装置でネットワークを通じて発信したり受信したメッセージを便利に管理するようにした方法及び装置を提供すること。少なくとも一つのメッセージは表示されてユーザによって選択される。選択されたメッセージの属性情報はメッセージヒストリーＤＢで確認される。前記確認された属性情報に基づいて前記選択されたメッセージに係るメッセージは表示される。前記選択されたメッセージは以前にマークされたメッセージであることができる。前記にかかるメッセージはマーキングされないメッセージであることができる。
2015509226.tif 000002
【特許請求の範囲】
【請求項１】
電子装置がネットワークを通じて発信したり受信したメッセージを管理する方法であって、
少なくとも一つのメッセージを表示する段階と、  
前記表示される少なくとも一つのメッセージのうちいずれか一つの選択を検出(ｄｅｔｅｃｔ)する段階と、
メッセージヒストリーＤＢで前記選択されたメッセージに係る属性情報(ａｔｔｒｉｂｕｔｅ ｉｎｆｏｒｍａｔｉｏｎ)を確認する段階と、
前記確認された属性情報に基づいて前記選択されたメッセージに係るメッセージを表示する段階と、を含むことを特徴とするメッセージ管理方法。
【請求項２】
前記確認する段階は、
前記選択されたメッセージを発信したり受信した通信時間を確認することを特徴とする、請求項１に記載のメッセージ管理方法。
【請求項３】
前記関連されるメッセージを表示する段階は、
前記通信時間より前に発信したり受信したメッセメッセージを表示すること、及び前記通信時間より後に発信したり受信したメッセージを表示することのうち少なくとも一つを実行することを特徴とする、請求項２に記載のメッセージ管理方法。
【請求項４】
前記少なくとも一つのメッセージを表示する段階は、
ユーザによってマーキングされた少なくとも一つのマーキングメッセージ又はこれを代わりに表すオブジェクトを含むマーキングビューを表示する段階を含むことを特徴とする、請求項１に記載のメッセージ管理方法。
【請求項５】
前記選択を検出する段階は、
前記マーキングビューでマーキングメッセージ又はオブジェクトの選択を検出する段階を含むことを特徴とする、請求項４に記載のメッセージ管理方法。
【請求項６】
少なくとも一つのメッセージ又はこれを代わりに表すオブジェクトを含むメッセージビューを表示する段階、及び
前記メッセージビューでメッセージ又はオブジェクトをマーキングして表示する段階をさらに含み、
前記マーキングビューを表示する段階は、
前記メッセージビューでマーキングされたメッセージ又はオブジェクトを抽出して表示することを特徴とする、請求項４に記載のメッセージ管理方法。
【請求項７】
前記メッセージビューをスクロールする段階、及び
前記スクロール途中マーキングされたメッセージ又はオブジェクトが表示された場合、前記スクロールを減速したり停止する段階をさらに含むことを特徴とする、請求項１に記載のメッセージ管理方法。
【請求項８】
前記属性情報は、
前記選択されたメッセージを発信したり受信した通信時間を表す時間情報、前記選択されたメッセージのオリジンを表すオリジン情報、前記選択されたメッセージにリンクされている対象に対するリンク情報、前記選択されたメッセージを発信したり受信したときの位置情報、容量情報、カテゴリー情報、及び前記選択されたメッセージにユーザが別に入力したユーザ入力情報のうちで少なくとも一つを含むことを特徴とする、請求項１に記載のメッセージ管理方法。
【請求項９】
前記ネットワークを通じて発信したり受信したメッセージは、
テキスト、オーディオ、ビデオ及びマルチメディアのうちで少なくとも一つを含むことを特徴とする、請求項１に記載のメッセージ管理方法。
【請求項１０】
ネットワークを通じて発信したり受信したメッセージとこれらの属性情報を集めたメッセージヒストリーＤＢを記憶するメモリーと、
前記メッセージヒストリーＤＢで少なくとも一つのメッセージを表示する表示部と、
前記表示される少なくとも一つのメッセージのうちいずれか一つの選択を検出し、前記メッセージヒストリーＤＢで前記選択されたメッセージに係る属性情報を確認し、前記確認された属性情報に基づいて前記選択されたメッセージに係るメッセージを表示するように制御する制御部を含むメッセージ管理装置。
【請求項１１】
前記制御部は、
前記メッセージヒストリーＤＢで前記選択されたメッセージを発信したり受信した通信時間を確認し、前記確認された通信時間に係るメッセージを表示するように制御することを特徴とする、請求項１０に記載のメッセージ管理装置。
【請求項１２】
前記表示部は、
前記制御部の制御下に、前記通信時間より前に発信したり受信したメッセメッセージを表示すること、及び前記通信時間より後に発信したり受信するメッセージを表示することのうち少なくとも一つを実行することを特徴とする、請求項１１にメッセージ管理装置。
【請求項１３】
前記表示部は、
前記制御部の制御下に、ユーザによってマーキングされた少なくとも一つのマーキングメッセージ又はこれを代わりに表すオブジェクトを含むマーキングビューを表示することを特徴とする、請求項１０に記載のメッセージ管理装置。
【請求項１４】
前記制御部は、
前記マーキングビューでマーキングメッセージ又はオブジェクトが選択されると、前記選択されたマーキングメッセージ又はオブジェクトに係るメッセージを表示するように制御することを特徴とする、請求項１３に記載のメッセージ管理装置。
【請求項１５】
前記制御部は、
メッセージビューをスクロールするうちに前記マーキングメッセージ又はこれを表すオブジェクトが画面上に出現されると、前記スクロールを減速したり停止することを特徴とする、請求項１４に記載のメッセージ管理装置。
【請求項１６】
前記属性情報は、
前記選択されたメッセージを発信したり受信した通信時間を表す時間情報、前記選択されたメッセージのオリジンを表すオリジン情報、前記選択されたメッセージにリンクされている対象に対するリンク情報、前記選択されたメッセージを発信したり受信した時の位置情報、容量情報、カテゴリー情報、及び前記選択されたメッセージにユーザが別に入力したユーザ入力情報のうちで少なくとも一つを含むことを特徴とする、請求項１０に記載のメッセージ管理装置。
【請求項１７】
前記ネットワークを通じて発信したり受信したメッセージは、
テキスト、オーディオ、ビデオ及びマルチメディアのうちで少なくとも一つを含むことを特徴とする、請求項１０に記載のメッセージ管理装置。
【請求項１８】
ネットワークを通じて発信したり受信したメッセージを管理する装置で具現される記録媒体にであって、
少なくとも一つのメッセージを表示し、前記表示される少なくとも一つのメッセージのうちいずれか一つを選択し、メッセージヒストリーＤＢで前記選択されたメッセージの属性情報を確認し、前記確認された属性情報に基づいて前記選択されたメッセージ係るメッセージを表示するように構成された記録媒体。
【発明の詳細な説明】
【技術分野】
【０００１】
本開示(ｄｉｓｃｌｏｓｕｒｅ)は、メッセージ管理方法及び装置に関し、特に、携帯装置でネットワークを通じて外部機器と発信したり受信したメッセージを便利に管理できる方法及び装置に関する。
【背景技術】
【０００２】
携帯通信装置の市場は消費者興味(ｃｏｎｓｕｍｅｒ ｉｎｔｅｒｅｓｔ)を刺激する多様なデザインとアプリケーションによって早い成長をしている。今日の携帯装置の機能(ｆｕｎｃｔｉｏｎａｌｉｔｙ)はオンラインマーケットなどでダウンロード可能な多様なアプリケーション、例えば、テキスト及びマルチメディアメッセージング(ｍｅｓｓａｇｉｎｇ)、撮影、録音、録画、オンラインゲーム、放送受信(ｂｒｏａｄｃａｓｔ ｒｅｃｅｐｔｉｏｎ)、ソーシャルネットワークサービス(Ｓｏｃｉａｌ Ｎｅｔｗｏｒｋ Ｓｅｒｖｉｃｅ；
【０００３】
ＳＮＳ)などを含むことができる。このようなアプリケーションによって多様なコンテンツが生産されてネットワークからダウンロードされている。また、携帯装置はネットワークを通じて外部機器とメッセージを発信したり受信することができる無線通信部などを備え、メッセージを管理できる方法及び装置を提供している。
【０００４】
一方、最近ＳＮＳ、テキスト及びマルチメディアメッセージングなどメッセージングサービスの利用度が高くなることによって多様なメッセージが無数に生産されている。従って、メッセージを便利に管理することができる方法及び装置の必要性が台頭されている。しかし、従来メッセージ管理方法及び装置はメッセージを並べてユーザに表示する機能を提供するだけである。従って、 発信／受信したメッセージのうちで特定通信時間に発信／受信したメッセージへのアクセスが容易ではない。
【発明の概要】
【発明が解決しようとする課題】
【０００５】
本開示は、携帯装置で生産されてネットワークを通じてダウンロードしたメッセージを容易に管理できる方法及び装置を提供することを目的とする。本発明は、多様でかつ多くのメッセージのうちでユーザが望むメッセージを選択的にマーキングして管理することができ、別に管理されるメッセージのそれぞれのオリジン(ｏｒｉｇｉｎ)で容易にアクセスすることによって、前記アクセスしたオリジンを通じて前記別に管理されるメッセージの詳細な情報をユーザにとって容易に認知するようにした方法及び装置を提供することを他の目的とする。
【課題を解決するための手段】
【０００６】
前述した解決しようとする課題を達成するために、本発明によるメッセージ管理方法は少なくとも一つのメッセージを表示する段階と、前記表示される少なくとも一つのメッセージのうちいずれか一つの選択を検出する段階と、メッセージヒストリーＤＢで前記選択されたメッセージに係る属性情報を確認する段階と、及び前記確認された属性情報に基づいて前記選択されたメッセージに係るメッセージを表示する段階と、を含むことを特徴とする。
【０００７】
また、本発明による他のメッセージ管理装置は、ネットワークを通じて発信したり受信したメッセージとこれらの属性情報を集めたメッセージヒストリーＤＢを記憶するメモリーと、前記メッセージヒストリーＤＢで少なくとも一つのメッセージを表示する表示部と、及び前記表示される少なくとも一つのメッセージのうちいずれか一つの選択を検出し、前記メッセージヒストリーＤＢで前記選択されたメッセージに係る属性情報を確認し、前記確認された属性情報に基づいて前記選択されたメッセージに係るメッセージを表示するように制御する制御部と、を含むことを特徴とする。
【発明の効果】
【０００８】
本発明は、ネットワークを通じてダウンロードされている携帯装置で生成されたメッセージを容易に管理することができる方法及び装置を提供することができる。本発明は多様でかつ多くのメッセージのうちでユーザが望むメッセージを選択的にマーキングして管理できる方法及び装置を提供することができる。本発明は選択的に管理されるメッセージのそれぞれのオリジン(ｏｒｇｉｎａｌｌｙ ｒｅｌａｔｅｄ ｍｅｓｓａｇｅｓ)で容易にアクセスできる方法及び装置を提供することができる。本発明は前記アクセスしたオリジンを通じて選択的に管理されるメッセージのより詳細な情報をユーザにとって容易に認知するようにした方法及び装置を提供することができる。
【０００９】
本発明の他の目的、長所及び核心的な特徴は、以下に提供される本発明の実施形態から容易に導出されることができる。
【図面の簡単な説明】
【００１０】
【図１】本発明の一実施形態による携帯装置の構成を示す図面である。
【図２】本発明の一実施形態による制御部の構成を示す図面である。
【図３】本発明の一実施形態によるメッセージのマーキング方法を説明するための流れ図である。
【図４】本発明の一実施形態によるマーキングビューの表示方法を説明するための流れ図である。
【図５】本発明の一実施形態によるメッセージビューの表示方法を説明するための流れ図である。
【図６】本発明の一実施形態によるメッセージビューのスクロール方法を説明するための流れ図である。
【図７】本発明の一実施形態によるメッセージのマーキング方法を説明するための画面である。
【図８】本発明の一実施形態によるマーキングビューの表示方法を説明するための画面である。
【図９】本発明の一実施形態によるメッセージビューの表示方法を説明するための画面である。
【図１０】本発明の他の実施形態によるメッセージビューの表示方法を説明するための画面である。
【図１１】本発明の一実施形態によるメッセージビューのスクロール方法を説明するための画面である。
【発明を実施するための形態】
【００１１】
以下、添付した図面を参照して本発明の好ましい実施形態によってメッセージ管理方法及び装置に対して詳細に説明する。本発明の詳細な説明の前に、以下で使用される用語や単語は通常的や辞書的な意味に限定して解釈されてはならなく、本発明の技術的思想に符合する意味と概念に解釈されなければならない。従って、本明細書及び図面は本発明の好ましい実施形態に過ぎないだけで、本発明の技術的思想を全部代弁するものではないので、本出願時点においてこれらを取り替えることができる多様な均等物と変形例があり得ることを理解しなければならない。また、添付図面において一部構成要素は誇張されたり省略されたり、又は概略的に図示された。また、各構成要素の大きさは実際大きさを全的に反映するものではない。従って、本発明は添付した図面に示された相対的な大きさや間隔によって制限されない。
【００１２】
本発明において、「メッセージ」はスレッド(ｔｈｒｅａｄ)とも言い、ネットワークを通じて外部機器と発信したり受信したデータを意味する。このようなメッセージはテキスト、イメージ、ビデオ、オーディオ又はマルチメディアなどを含む。
【００１３】
本発明において、「メッセージングアプリ(Ｍｅｓｓａｇｉｎｇ Ａｐｐ)」は前記メッセージを発信したり受信するためのアプリケーションを意味する。このようなメッセージングアプリはフェイスブック(登録商標)及びツイッター(登録商標)などのようなＳＮＳ(Ｓｏｃｉａｌ Ｎｅｔｗｏｒｋ Ｓｅｒｖｉｃｅ)サービスアプリケーションと、電子メールサービスアプリケーションと、一対一及びグループチャットのためのチャットサービスアプリケーションと、文字及びマルチメディアメッセージを発信したり受信するためのメッセージサービスアプリケーションなどがある。
【００１４】
本発明において、「メッセージヒストリーＤＢ(ｄａｔａ ｂａｓｅ)」はメッセージとこれらの属性情報を集めたデータファイルを意味する。ここで属性情報は当該メッセージの属性を示すことで、リンク情報、オリジン情報(ｏｒｉｇｉｎ ｉｎｆｏｒｍａｔｉｏｎ)、時間情報、位置情報、ユーザ入力情報、容量情報(ｂｙｔｅ)、カテゴリー情報などを含む。具体的にオリジン情報は当該メッセージのオリジン(ｏｒｉｇｉｎ)としてアプリケーション情報(例えば、アプリケーション名前)を意味する。即ち、オリジンはメッセージを生成したアプリケーション(例えば、ツイッター)を意味する。リンク情報は該当メッセージにリンクされている対象に対する情報を意味する。
【００１５】
ここで対象はデータであるか、或いはウェブページ情報などになることができる。時間情報はメッセージを発信したり受信した通信時間を意味する。位置情報はメッセージを発信したり受信した時の該携帯装置の位置情報を意味する。ユーザ入力情報はユーザが別にメッセージに入力した情報を意味する。即ち、ユーザ入力情報はオリジナルメッセージその自体と区別される。このようなユーザ入力情報は名称、メモ、ハイライト、イメージ、マーキング(ｍａｒｋｉｎｇ；「ピンナップ(ｐｉｎ−ｕｐ)」とする)、ユーザが直接入力したリンク情報、ユーザが直接入力した時間情報、ユーザが直接入力した位置情報など含むことができる。
【００１６】
本発明において、「メッセージビュー(又はスレッドビュー(ｔｈｒｅａｄ ｖｉｅｗ))」は前記メッセージングアプリの実行画面として、メッセージが羅列されて表示されることを意味する。メッセージビューでメッセージ代りにこれらを表すオブジェクトが表示されることもできる。ここでオブジェクトはアイコン、サムネイル(ｔｈｕｍｂｎａｉｌ) などの形態になることができる。「マーキングビュー」はマーキングされたマーキングメッセージ又はこれらを表すオブジェクトが羅列されて表示されることを意味する。ここでマーキングビューはアプリケーション別で区別されることができる。例えば、マーキングビューはペースブックに係るマーキングビュー、ツイッターに係るマーキングビュー及び電子メールサービスアプリケーションに係るマーキングビューで区分されることができる。もちろんマーキングビューはアプリケーションと関係せず統合されることもできる。また、メッセージビュー及びマーキングビューでメッセージ(又はオブジェクト)は一定の規則に応じて羅列されることができる。ここで規則は代表的に、ネットワークを通じてメッセージを発信したり受信した通信時間になることができるでしょう。また規則は容量、メッセージ種類などになることもできる。
【００１７】
本発明は、メッセージをマーキングする機能、複数のメッセージでマーキングメッセージのみをフィルターリングして表示する機能及びメッセージビューをスクロールしてからマーキングメッセージが出現されると、スクロール速度を減速する機能などのようなユーザ中心のメッセージ管理方法及び装置を提供する。また、本発明はマーキングメッセージのオリジンでいつでもアクセスすることができる機能を提供する。
【００１８】
本発明によるメッセージ管理方法及び装置は携帯装置に適用されることができる。このような携帯装置は携帯電話、スマートフォン、タブレットＰＣ、ハンドヘルド(ｈａｎｄ−ｈｅｌｄ)ＰＣ、ＰＭＰ(Ｐｏｒｔａｂｌｅ Ｍｕｌｔｉｍｅｄｉａ Ｐｌａｙｅｒ)、ＰＤＡ(Ｐｅｒｓｏｎａｌ Ｄｉｇｉｔａｌ Ａｓｓｉｓｔａｎｔ)などになることができることは自明である。
【００１９】
図1は、本発明の一実施形態による携帯装置の構成を示す図面である。図1を参照すれば、本発明による携帯装置１００はタッチスクリーン１１０、キー入力部１２０、表示部１３０、メモリー１４０、無線通信部１５０、オーディオ処理部１６０、マイク(ＭＩＣ)、スピーカー(ＳＰＫ)及び制御部１７０を含んでなることができる。
【００２０】
タッチスクリーン１１０は、表示部１３０の前面に装着され、タッチスクリーン１１０に対するユーザのタッチジェスチャーに応答してタッチイベント(電気的な信号)を発生させて制御部１７０へ伝達する。これによって制御部１７０はタッチスクリーン１００から入力されるタッチイベントからユーザジェスチャーを検出して前記構成を制御することができる。ここでユーザジェスチャーは大きく、タッチ(Ｔｏｕｃｈ)とタッチジェスチャー(Ｔｏｕｃｈ ｇｅｓｔｕｒｅ)で区分される。さらに、タッチジェスチャーはタップ(Ｔａｐ)、ダブルタップ(Ｄｏｕｂｌｅ Ｔａｐ)、ロングタップ(ｌｏｎｇ ｔａｐ)、ドラッグ(Ｄｒａｇ)、ドラッグアンドドロップ(Ｄｒａｇ＆Ｄｒｏｐ)、フリック(Ｆｌｉｃｋ)及びプレス(ｐｒｅｓｓ)などを含むことができる。ここで、タッチはユーザが画面のある一地点にタッチ入力手段(例えば、指やスタイラスペン)を用いて接触する操作で、タップはある一地点をタッチした後、タッチ入力手段の移動無しに該当地点でタッチ入力手段をタッチ解除(ｔｏｕｃｈ−ｏｆｆ)する操作であり、ダブルタップはある一地点を連続的に二回タップする操作であり、ロングタップはタップより相対的に長くタッチした後、タッチ入力手段の移動無しに当該地点でタッチ入力手段をタッチ解除する操作であり、ドラッグはある一地点をタッチした状態でタッチ入力手段を所定方向に移動させる操作であり、ドラッグアンドドロップはドラッグした後、タッチ入力手段をタッチ解除する操作であり、フリックは弾くように、ドラッグに比べてタッチ入力手段を早く移動させた後、タッチ解除する操作を意味する。プレスはタッチ入力手段としてある一地点をタッチした後、当該地点を押す操作である。即ち、タッチはタッチスクリーンに接触(ｃｏｎｔａｃｔ)している状態を意味し、タッチジェスチャーはタッチがタッチスクリーンに接触(ｔｏｕｃｈ−ｏｎ)してタッチ解除(ｔｏｕｃｈ−ｏｆｆ)までのタッチの動きを意味する。タッチスクリーン１１０は圧力センサーを具備してタッチされた地点の圧力を検出することができる。検出された圧力情報は制御部１７０へ伝達して、制御部１７０は検出された圧力情報に基づいてタッチとプレスを区分することができる。タッチスクリーン１１０は、抵抗膜方式(ｒｅｓｉｓｔｉｖｅ ｔｙｐｅ)、静電容量方式(ｃａｐａｃｉｔｉｖｅ ｔｙｐｅ)及び電子誘導方式(ｅｌｅｃｔｒｏｍａｇｎｅｔｉｃ ｉｎｄｕｃｔｉｏｎ ｔｙｐｅ)などが適用されることができる。
【００２１】
キー入力部１２０は、数字又は文字情報が入力されて各種機能を設定するための複数の入力キー及び機能キーを含むことができる。前記機能キーは特定機能を実行するように設定された方向キー、サイドキー及びショートカットキーなどを含むことができる。また、キー入力部１２０はユーザ設定及び携帯装置１００の機能制御に係るキー信号を生成して制御部１７０へ伝達する。キー信号は電源オン／オフ信号、ボリューム調節信号、画面オン／オフ信号などで区分されることができる。制御部１７０はこのようなキー信号に応答して前記構成を制御する。このようなキー入力部１２０は複数のキーを含むクワーティーキーパッド、３＊４キーパッド、４＊３キーパッドなどに具現されることができる。そして、キー入力部１２０は携帯装置のタッチスクリーン１１０がフルタッチスクリーン形態にサポートされた場合、携帯装置１００のケース側面に形成される、画面オン／オフ及び携帯端末機オン／オフなどのための少なくとも一つのサイドキーのみを含むこともできる。
【００２２】
表示部１３０は、制御部１７０の制御下に、制御部１７０から入力されたデジタル形態のイメージをアナログ形態で変換して表示する。即ち、表示部１３０は携帯装置の利用による多様な画面、例えば、ロック画面、ホーム画面、アプリケーション(以下、単に「アプリ(Ａｐｐ)」という) 実行画面、メニュー画面、キーパッド画面、インターネット画面などを提供することができる。ロック画面は表示部１３０の画面が大きくなれば表示される映像に定義されることができる。ロック解除のためのタッチジェスチャーが検出されると制御部１７０は表示される映像をロック画面でホーム画面又はアプリ実行画面などで転換することができる。ホーム画面は複数のアプリにそれぞれ対応される複数のアプリアイコンを含む映像に定義されることができる。複数のアプリアイコンのうちいずれか一つがユーザによって選択されると制御部１７０は当該アプリ、例えば、メッセージングアプリを行う。そして表示部１３０は選択されたアプリの実行のための実行画面、例えば、メッセージビュー又はマーキングビューを表示する。また、表示部１３０は制御部１７０の制御下に、前記画面のうちいずれか一つをメイン画面として表示し、他の一つの画面をサーブ画面として前記メイン画面にオーバーラップして表示することができる。例えば、表示部１３０はメッセージビューを表示し、その上にメッセージ処理のためのポップアップウィンドウを表示することができる。また、表示部１３０は液晶表示装置(Ｌｉｑｕｉｄ Ｃｒｙｓｔａｌ Ｄｉｓｐｌａｙ ： ＬＣＤ)、ＯＬＥＤ(Ｏｒｇａｎｉｃ Ｌｉｇｈｔ Ｅｍｉｔｔｅｄ Ｄｉｏｄｅ),) などの平板表示パネルの形態に形成されることができる。  
【００２３】
メモリー１４０は携帯装置のＯＳ(Ｏｐｅｒａｔｉｎｇ Ｓｙｓｔｅｍ)及び多様なアプリケーションを含み、多様なデータを記憶することができる。メモリー１４０は大きくデータ領域とプログラム領域を含むことができる。メモリー１４０のデータ領域は携帯装置１００の使用によって携帯装置１００で生成されたり外部からダウンロードされたデータ及びこのようなデータの属性を表す属性情報を記憶することができる。また、データ領域は表示部１３０によって表示される上述した画面を記憶することができる。また、データ領域はペーストなどのためにコピーされたデータを臨時記憶することができる。また、データ領域は携帯装置の運営のための多様な設定値(例えば、画面明るさなど)を記憶することができる。またデータ領域は上述したメッセージヒストリーＤＢ１４１を記憶することができる。メモリー１４０のプログラム領域は携帯装置のブーティング及び上述した携帯装置１００の各構成の運用のためＯＳ(Ｏｐｅｒａｔｉｎｇ Ｓｙｓｔｅｍ)と多様なアプリケーションを記憶することができる。特にプログラム領域は上述したメッセージングアプリ１４２を記憶することができる。このようなメッセージングアプリ１４２はメッセージビューが表示される状態でメッセージを選択し、選択されたメッセージにマーキングする機能と、メッセージビューが表示される状態でユーザ入力によってマーキングビューを表示する機能と、マーキングビューが表示される状態でマーキングメッセージを選択して選択されたマーキングメッセージのオリジンに該当するメッセージビューを表示する機能と、メッセージビューをスクロールしてからマーキングメッセージが出現されるとスクロール速度を減速する機能を含むことができる。
【００２４】
無線通信部１５０は、音声通話、画像通話又はデータ通信を制御部１７０の制御下に実行する。これのために無線通信部１５０は送信される信号の周波数を上昇変換及び増幅する無線周波数送信部と、受信される信号の周波数を低雑音増幅及び下降変換する無線周波数受信部などを含むことができる。また無線通信部１５０は移動通信モジュール(例えば、３世代(３−Ｇｅｎｅｒａｔｉｏｎ)移動通信モジュール、３．５(３．５−Ｇｅｎｅｒａｔｉｏｎ)世代移動通信モジュール又は４(４−Ｇｅｎｅｒａｔｉｏｎ)世代移動通信モジュールなど)、近距離通信モジュール(例えば、ワイファイ(Ｗｉ−Fｉ)モジュール)及びデジタル放送モジュール(例えば、ＤＭＢモジュール)を含むことができる。
【００２５】
オーディオ処理部１６０は、制御部１７０の制御下に、制御部１７０から入力されたデジタル形態のオーディオをアナログ形態のオーディオに変換してスピーカー(ＳＰＫ)へ送信し、マイク(ＭＩＣ)から入力された音声などのアナログ形態のオーディオをデジタル形態のオーディオに変換して制御部１７０へ伝達する機能を実行する。
【００２６】
制御部１７０は携帯装置１００の全般的な動作及び携帯装置１００の内部構成の間の信号流れを制御し、データを処理する機能を実行することができる。そして制御部１７０はバッテリーで内部構成への電源供給を制御することができる。また、制御部１７０はプログラム領域に記憶された各種アプリケーションを行うことができる。特に、本発明による制御部１７０は図２に示されたようなメッセージ処理部を備えることができる。
【００２７】
図２は、本発明の一実施形態による制御部の構成を示す図面である。図２を参照すれば、本発明による制御部１７０は入力検出部１７１、入力判別部１７２及びメッセージ処理部１７３を含んでなることができる。
【００２８】
入力検出部１７１は、タッチスクリーン１１０及びキー入力部１２０と連結され、タッチスクリーン１１０に対するユーザのタッチジェスチャーとキー入力部１２０に対するユーザのキー操作を検出し、検出されたキー操作及びタッチジェスチャーのようなユーザ入力を入力判別部１7２へ伝達する。特に入力検出部１7１は、タッチされた座標、タッチジェスチャーの形態、タッチの移動方向及び移動距離などを検出することができる。
【００２９】
入力判別部１７２は、検出されたユーザ入力の意味を判別する機能を実行する。特に本発明による入力判別部１７２は検出されたユーザ入力が「マーキングをリクエストするか否か」、「マーキングビューの表示をリクエストするか否か」、「マーキングメッセージのオリジンに当該するメッセージビューの表示をリクエストするか否か」、「メッセージビューのスクロールをリクエストするか否か」などを判別する。そして入力判別部１７２はメッセージ処理に係る前記判別結果をメッセージ処理部１７３へ伝達する。
【００３０】
メッセージ処理部１７３は無線通信部１５０及びメモリー１４０と連結されることができる。そしてメッセージ処理部１７３はこれらからメッセージを受信して、受信したメッセージを表示可能になるように処理して表示部１３０へ伝達する。これによって表示部１３０はマーキングビュー又はメッセージ(ｔｈｒｅａｄ)ビューを表示することができる。特にメッセージ処理部１７３はメッセージ処理に係る前記判別結果を受信する。そしてメッセージ処理部１７３は受信された判別結果によってメッセージにマーキングし、マーキングメッセージを表示するように制御し、マーキング情報をメモリー１４０に記憶することができる。
【００３１】
メッセージ処理部１７３は受信された判別結果によってマーキングビューを表示するように制御することができる。マーキングビューのいずれか一つのマーキングメッセージが選択されるとメッセージ処理部１７３はメッセージヒストリーＤＢ１４２でマーキングメッセージのオリジン情報を確認し、オリジンの実行画面、即ち、メッセージビューを表示するように制御することができる。このとき、メッセージビューは選択されたマーキングメッセージの時間情報を基準に表示されることができる。即ち、表示部１３０はマーキングメッセージと共に、マーキングメッセージの通信時間を基準で先後に発信したり受信するメッセージを表示することができる。
【００３２】
また、メッセージ処理部１７３はメッセージヒストリーＤＢ１４２でマーキングメッセージの位置情報を確認し、マーキングメッセージを発信したり、或いは受信したとき、携帯装置１００の位置に係るメッセージをメッセージヒストリーＤＢ１４２から抽出し、抽出されたメッセージを表示するように制御することができる。例えば、ユーザ自分の家で取って友達に送った写真をマーキングメッセージと仮定しよう。ユーザがマーキングした前記写真を選択すると制御部１７０は前記写真以外に、ユーザの家で友達と発信したり受信したがマーキングしない他のメッセージをユーザに提供することができる。以上に、マーキングビューにおいてある一つのマーキングメッセージが選択されるとメッセージ処理部１７３はメッセージヒストリーＤＢ１４２で前記選択されたマーキングメッセージの属性情報(具体的に、リンク情報、オリジン情報、時間情報、位置情報、ユーザ入力情報、容量情報(ｂｙｔｅ)、カテゴリー情報など)を確認し、確認された属性情報に基づいて前記選択されたマーキングメッセージに係るメッセージを表示するように制御することができる。
【００３３】
メッセージ処理部１７３はメッセージビューがスクロールされるように制御することができる。即ち、メッセージ処理部１７３はメッセージビューを例えば、上下又は左右で動いてメッセージを表示するように表示部１３０を制御することができる。このとき、スクロール途中の表示部１３０の画面にマーキングメッセージが出現されると、メッセージ処理部１７３はスクロール速度を減らしてユーザにとってマーキングメッセージを容易に認知するようにできる。ここでマーキングメッセージが画面に泊まる時間、減速程度などは画面大きさのような物理的な機器の仕様(ｓｐｅｃｉｆｉｃａｔｉｏｎ)やマーキングメッセージの種類などによって柔軟に設定されることができる。一方、マーキングメッセージが消えればメッセージ処理部１７３はスクロール速度をさらに増加させることもできる。
【００３４】
デジタル機器のコンバージョンス(ｃｏｎｖｅｒｇｅｎｃｅ)趨勢によって変形が非常に多様で全部列挙することはできないが、本発明による携帯装置１００は携帯装置の位置変化に係る情報を検出するためのセンサーモジュールと、携帯装置１００の位置を測定するためのＧＰＳモジュールと、カメラモジュールなどのように前記で言及されない構成をさらに含むことができる。また、本発明の携帯装置１００はその提供形態によって前記構成で特定構成が除外されたり他の構成で取り替えることもできることは勿論である。また本発明で入力部は上述したタッチスクリーン１１０及びキー入力部１２０以外に、タッチパッド、トラックボールなどになることができることは勿論である。
【００３５】
以下では図３乃至６を参照として上述した構成要素を有する携帯装置１００で実行されるメッセージ管理方法に対して具体的に説明する。
【００３６】
図３は、本発明の一実施形態によるメッセージのマーキング方法を説明するための流れ図である。図３を参照すれば、段階３０１で表示部１３０は制御部１７０の制御下に、メッセージビューを表示することができる。このようにメッセージビューが表示される間に段階３０２で制御部１７０はタッチジェスチャーを検出する。段階３０２でタッチジェスチャーが検出されなければ制御部１７０はメッセージビューの表示を維持することができる。このとき、メッセージビューの表示後、予め設定された臨界時間が経過されるまで何らのタッチジェスチャーが検出されなければ制御部１７０は表示部１３０の画面をオフさせることもできる。段階３０２でタッチジェスチャーが検出されると段階３０３で制御部１７０は検出されたタッチジェスチャーが「マーキング」をリクエストするタッチジェスチャーなのか否かを判別する。判別結果マーキングのリクエストの場合、段階３０４で制御部１７０はメッセージビューで当該メッセージに対してマーキングし、マーキングメッセージを表示するように表示部１３０を制御する。そして段階３０５で制御部１７０はマーキング情報をメモリー１４０に記憶する。
【００３７】
図４は、本発明の一実施形態によるマーキングビューの表示方法を説明するための流れ図である。図４を参照すれば、段階４０１で表示部１３０は制御部１７０の制御下に、メッセージビューを表示することができる。このようにメッセージビューが表示される間に段階４０２で制御部１７０はタッチジェスチャーを検出する。段階４０２でタッチジェスチャーが検出されると段階４０３で制御部１７０は検出されたタッチジェスチャーが 「マーキングビューの表示」をリクエストするタッチジェスチャーなのか否かを判別する。判別結果、マーキングビューの表示のリクエストの場合、段階４０４で制御部１７０はマーキングビューを表示するように表示部１３０を制御する。即ち、メッセージビューがマーキングビューロー変更される。マーキングビューに対する追加的な情報は以下の図８に係る説明を通じて提供される。
【００３８】
図５は、本発明の一実施形態によるメッセージビューの表示方法を説明するための流れ図である。図５を参照すれば、段階５０１で表示部１３０は制御部１７０の制御下に、マーキングビューを表示することができる。このようにマーキングビューが表示される間に段階５０２で制御部１７０はタッチジェスチャーを検出する。段階５０２でタッチジェスチャーが検出されると段階５０３で制御部１７０は検出されたタッチジェスチャーが 「マーキングメッセージ」を選択するタッチジェスチャーなのか否かを判別する。判別結果マーキングメッセージの選択の場合、段階５０４で制御部１７０はメッセージヒストリーＤＢ１４１を検索し、前記選択されたマーキングメッセージのオリジンを確認する。そして段階５０５で制御部１７０は前記確認されたオリジンの当該メッセージビューを表示するように表示部１３０を制御する。このとき、メッセージビューは前記選択されたマーキングメッセージの時間情報に基づいて表示されることができる。メッセージビューに対する追加的な情報は以下の図９に係る説明を通じて提供される。
【００３９】
図６は、本発明の一実施形態によるメッセージビューのスクロール方法を説明するための流れ図である。図６を参照すれば、段階６０１で表示部１３０は制御部１７０の制御下に、メッセージビューを表示することができる。このようにメッセージビューが表示される間に段階６０２で制御部１７０はタッチジェスチャーを検出する。段階６０２でタッチジェスチャーが検出されると段階６０３で制御部１７０は検出されたタッチジェスチャーが「メッセージビューのスクロール」をリクエストするタッチジェスチャーなのか否かを判別する。判別結果、検出されたタッチジェスチャーが「メッセージビューのスクロール」をリクエストするタッチジェスチャー、例えば、スウィップの場合、段階６０４で制御部１７０は前記スウィップの方向及び速度によってメッセージビューをスクロールするように表示部１３０を制御する。このとき、スクロールは時間経過によって段々速度が減ってから停止することができる。また、メッセージビューの端に至るようになればスクロールが停止することもできる。このようなスクロールが実行される間に段階６０５で制御部１７０はマーキングメッセージが画面に出現されるのか否かを判別することができる。判別結果、マーキングメッセージが出現されると段階６０６で制御部１７０はスクロール速度をより緩めることができる。又は段階６０６で制御部１７０はマーキングメッセージが出現されると、速度と関係せずスクロールを停止することもできる。メッセージビューのスクロールに対する追加的な情報は以下の図１１に係る説明を通じて提供される。
【００４０】
以下では複数の画面例示図を参照して本発明によるメッセージ管理方法に対してより具体的に説明する。
【００４１】
図７は、本発明の一実施形態によるメッセージのマーキング方法を説明するための画面である。先ず図７(ａ)を参照すれば、表示部１３０はメッセージビュー７１０を表示することができる。メッセージビュー７１０が表示される状態でユーザはメッセージ７１１を処理(ｔｒｅａｔ)するために、メッセージ７１１をロングタップ(ｌｏｎｇ ｔａｐ)できる。これによって制御部１７０はメッセージ７１１に対するロングタップを検出することができる。ここで処理中のメッセージは追加的な運営(ｆｕｒｔｈｅｒ ｏｐｅｒａｔｉｏｎ)(例えば、メッセージをマーキング、メッセージを他の位置にコピー)のために指定される(ｄｅｓｉｇｎａｔｅｄ)メッセージとして定義される。
図７(ｂ)を参照すれば、メッセージ７１１に対するロングタップが検出されると制御部１７０はメッセージ７１１を処理するためのポップアップウィンドウ ７２０をメッセージビュー７１０にオーバーラップして(或いは、 スーパーインポーズ(ｓｕｐｅｒｉｍｐｏｓｅ))表示するように表示部１３０を制御することができる。ここで、ポップアップウィンドウ７２０は示されたように、マーキングキー、コピーキー、伝達キー及び削除キーを含むことができる。ポップアップウィンドウ７２０が表示される状態でユーザはメッセージ７１１をマーキングするために、マーキングキーをタップできる。マーキングキーに対するタップが検出されることによって制御部１７０はメッセージ７１１をマーキングし、マーキングを表示するように表示部１３０を制御することができる。
【００４２】
図７(ｃ)を参照すれば、表示部１３０は制御部１７０の制御下に、メッセージ７１１をマーキングして表示する。ここでマーキングはマーキングされないメッセージと区別になるようにする形態になることができる。例えば、図示されたように、マーキングはアウトライン７３０、アイコン７４０(例えば、図示されたように画びょう(ｔｈｕｍｂｔａｃｋ)形態) 又はユーザが別に入力したタッグ情報７５０などになることができる。例えば、ポップアップウィンドウ ７２０から「ＭＡＲＫ」が選択されると、マーキングオプションをユーザに提供するウィンドウ(ｎｏｔ ｓｈｏｗｎ)が表示されることができる。代案的に、設定メニューを通じて特定マーキング方法が事前に選択されることもできる。
【００４３】
図８は、本発明の一実施形態によるマーキングビューの表示方法を説明するための画面である。先ず、図８(ａ)を参照すれば、表示部１３０はマーキングメッセージ８１１を含むメッセージビュー８１０を表示することができる。このような状態でユーザはマーキングメッセージ８１１を処理するために、タッチスクリーン１１０又はキー入力部１２０を操作することができる。例えば、ユーザはマーキングメッセージ８１１を処理するために、マーキングメッセージ８１１をロングタップしたり、或いはキー入力部１２０に備えたメニューキーを押すこともできる。このようなユーザ入力が検出されると制御部１７０は図８(ｂ)に示されたように、マーキングメッセージ８１１の処理のためのポップアップウィンドウ８２０を表示するように表示部１３０を制御することができる。ここで、ポップアップウィンドウ８２０は示されたように、すべてのマーキングメッセージを表示するようにするためのマーキング表示キー、コピーキー、伝達キー及び削除キーを含むことができる。前記マーキング表示キーがユーザによってタップになれば制御部１７０は図８(ｃ)に示したように、マーキングビュー８３０を表示するように表示部１３０を制御する。具体的に制御部１７０はメッセージビュー８１０でマーキングされたメッセージのみを抽出する。そして制御部１７０はメッセージビュー８１０から抽出されたマーキングメッセージを含むマーキングビュー８３０を表示するように表示部１３０を制御する。勿論、多いメッセージがマーキングされていると、マーキングメッセージがマーキングビュー８３０に同時に表示されないこともある。表示されないマーキングメッセージはスクロ−ルリングによってアクセスされることができる。メッセージビュー８１０は携帯装置１００のユーザと一人の３者(ｏｔｈｅｒ ｔｈｉｒｄ ｐａｒｔｙ)の間のスレッドを表すことができる。即ち、メッセージビュー８１０は携帯装置１００から表示(ｖｉｅｗｉｎｇ)可能なメッセージビューのいずれか一つを表すことができる。一実施形態によれば、ポップアップウィンドウ８２０で「すべてのマークの表示(Ｖｉｅｗ ａｌｌ ｍａｒｋｓ)」がユーザによって選択されると、一つのメッセージビュー(例えば、メッセージビュー８１０でマーキングされたメッセージが抽出されて表示されることができる。他の実施形態によれば、ポップアップウィンドウ８２０で「すべてのマークの表示(Ｖｉｅｗ ａｌｌ ｍａｒｋｓ)」がユーザによって選択されると、すべてのメッセージビューでマーキングされたメッセージは抽出されて表示されることもできる。
【００４４】
図９は、本発明の一実施形態によるメッセージビューの表示方法を説明するための画面である。先ず、図９(ａ)を参照すれば、表示部１３０はマーキングビュー９１０を表示することができる。この状態でユーザはマーキングメッセージ９１１のオリジンに該当するメッセージビューを表示するようにできる。例えば、ユーザがマーキングメッセージ９１１をタップするようになれば制御部１７０は図９(ｂ)に示されたようにマーキングメッセージ９１１に該当するメッセージビュー９２０を表示するように制御することができる。特に、制御部１７０はマーキングメッセージ９１１の時間情報を基準でメッセージビュー９２０を表示するように制御することができる。例えば、表示部１３０はマーキングメッセージ９１１と、マーキングメッセージ９１１直ぐ上に表示される「マーキングされないメッセージ９０９」を含むメッセージビュー９２０を表示することができる。ここで、マーキングされないメッセージ９０９はマーキングメッセージ９１１に以前生成されたメッセージである。これによって、ユーザは、マーキングメッセージ9１１に係るメッセージ(例えば、メッセージ９０９)をサーチするためにメッセージビュー９２０をスクロールする必要なく、マーキングメッセージ９１１のコンテクスト(ｃｏｎｔｅｘｔ)を憶えることができる。メッセージビュー９２０がスクロールされると、前記メッセージ(９１１、９０９)外に他のメッセージが表示されることができる。
【００４５】
図１０は、本発明の他の実施形態によるメッセージビューの表示方法を説明するための画面である。メッセージはカテゴリー別で分類されて管理されることができる。例えばメッセージは示されたようにフォト(Ｐｈｏｔｏ)、ビデオ(Ｖｉｄｅｏ)、ミュージック(Ｍｕｓｉｃ)及びピンナップ(Ｐｉｎ-ｕｐ)で分類されることができる。ここでピンナップはメッセージのうちでマーキングメッセージを意味する。即ち、メッセージビューにおいて、ある一メッセージがマーキングされると、該当メッセージはピンナップアルバムで自動的に移動(又はコピー)されることができる。図１０(ａ)を参照すれば、表示部１３０は前記カテゴリーのうちでピンナップアルバムを表示することができる。ピンナップアルバムはサムネイル形態で表されたマーキングメッセージを含むことができる。勿論、ピンナップアルバムでマーキングメッセージはテキスト形態に表示されることもできる。ユーザはマーキングメッセージ１０１０を処理(ｔｒｅａｔ)するために、マーキングメッセージ１０１０をロングタップできる。図１０(ｂ)を参照すれば、マーキングメッセージ１０１０に対するロングタップが検出されると制御部１７０はマーキングメッセージ１０１０を処理するためのポップアップウィンドウ１０２０を表示するように制御することができる。ここでポップアップウィンドウ１０２０はマーキングメッセージ１０１０の名称及びフォーマット(例えば、Ｌａｋｅ Ｌｏｕｉｓｅ．ｊｐｇ)と、マーキングメッセージ１０１０を表示するようにするオープンキーと、コピーキーと、マーキングメッセージ１０１０のオリジンに移動するための移動キーを含むことができる。このようなポップアップウィンドウ１０２０でユーザによって移動キーがタップになれば制御部１７０はメッセージヒストリーＤＢ１４１を検索してマーキングメッセージ１０１０のオリジンを確認する。そして制御部１７０は図１０(ｃ)に示されたように、確認されたオリジンのメッセージビュー１０３０を表示するように制御する。もし、マーキングメッセージが当該メッセージビューからピンナップアルバムにコピーされたものであれば、マーキングメッセージは該当のメッセージビュー内に相変らず存在するでしょう。
【００４６】
図１１は、本発明の一実施形態によるメッセージビューのスクロール方法を説明するための画面である。先ず図１１(ａ)を参照すれば、表示部１３０はメッセージビュー１１１０を表示する。このような状態でユーザはタッチスクリーン１１０を操作してメッセージビュー１１１０をスクロールすることができる。メッセージビュー１１１０に対するスウィップが検出されると制御部１７０は検出されたスウィップの方向及び速度によってメッセージビュー１１１０をスクロールするように表示部１３０を制御する。このようなスクロールが実行されるうちに図１１(ｂ)に示されたように、マーキングメッセージ１１２０が画面に出現されると、制御部１７０はスクロール速度を緩めたりスクロールを停止する。
【００４７】
上述したような本発明によるメッセージ管理方法は多様なコンピューター手段を通じて実行されることができるプログラムコマンド形態に具現されてコンピューターで判読可能な記録媒体に記録されることができる。このとき、前記コンピューターで判読可能な記録媒体はプログラムコマンド、データファイル、データ構造などを単独で又は組み合わせて含むことができる。一方、記録媒体に記録されるプログラムコマンドは本発明のために特別に設計されて構成されたものであるか、コンピューターソフトウェア当業者に公知されて使用可能なものであれば良い。前記コンピューターで判読可能な記録媒体にはハードディスク、フロッピー（登録商標）及び磁気テープのような磁気媒体(Ｍａｇｎｅｔｉｃ  Ｍｅｄｉａ)、ＣＤ−ＲＯＭ、ＤＶＤのような光記録媒体(Ｏｐｔｉｃａｌ  Ｍｅｄｉａ)、フロプティカルディスク(Ｆｌｏｐｔｉｃａｌ  Ｄｉｓｋ)のような磁気−光媒体(Ｍａｇｎｅｔｏ−Ｏｐｔｉｃａｌ  Ｍｅｄｉａ)、及びロム(ＲＯＭ)、ラム(ＲＡＭ)、フラッシュメモリーなどのようなプログラムコマンドを記憶して実行するように特別に構成されたハードウェア装置が含まれる。また、プログラムコマンドにはコンパイラーによって造られるものと同じの機械語コードだけではなくインタプリターなどを使用してコンピューターによって実行されることができる高級言語コードを含む。上述したハードウェア装置は本発明の動作を実行するために一つ以上のソフトウェアモジュールとして作動するように構成されることができる。
【００４８】
本発明によるメッセージ管理方法及び装置は前述の実施形態に限定されず本発明の技術思想が許容する範囲で多様に変形して実施することができる。
【符号の説明】
【００４９】
１００  携帯装置
１１０  タッチスクリーン
１２０  キー入力部
１３０  表示部
１４０  メモリー
１５０  無線通信部
１６０  オーディオ処理部
１７０  制御部
ＭＩＣ  マイク
ＳＰＫ  スピーカー
【図１】
2015509226.tif 000003
【図２】
2015509226.tif 000004
【図３】
2015509226.tif 000005
【図４】
2015509226.tif 000006
【図５】
2015509226.tif 000007
【図６】
2015509226.tif 000008
【図７】
2015509226.tif 000009
【図８】
2015509226.tif 000010
【図９】
2015509226.tif 000011
【図１０】
2015509226.tif 000012
【図１１】
2015509226.tif 000013
【国際調査報告】
2015509226.tif 000014
2015509226.tif 000015